(57)【要約】【課題】太陽光発電用パワーコンディショナに有線で接続される電力供給源からの電力が太陽光発電用パワーコンディショナに供給されなくても、太陽光発電用パワーコンディショナを動作させるためのデータを太陽光発電用パワーコンディショナに設定することを可能にする太陽光発電システムの通信装置を得ること。【解決手段】太陽光発電用パワーコンディショナ３に設けられる、太陽光発電システムの通信装置５は、電力と太陽光発電用パワーコンディショナ３を動作させるためのデータとを携帯端末４から非接触通信により受け取るアンテナ部５１と、通信部５２とを有する。通信部５２は、記憶部５３と、アンテナ部５１が受け取った電力を利用してアンテナ部５１が受け取ったデータを記憶部５３に格納する通信部内制御部５５とを有する。【選択図】図１
2019154172.tif 000002
【特許請求の範囲】
【請求項１】
太陽光発電用パワーコンディショナに設けられる、太陽光発電システムの通信装置であって、
電力と太陽光発電用パワーコンディショナを動作させるためのデータとを携帯端末から非接触通信により受け取るアンテナ部と、
前記アンテナ部が受け取った前記電力と前記データとを受け取る通信部とを備え、
前記通信部は、
情報を記憶する機能を有する記憶部と、
前記アンテナ部が受け取った前記電力と前記データとを受け取ると共に、前記電力を利用して前記データを前記記憶部に格納する通信部内制御部と、
前記太陽光発電用パワーコンディショナに有線で接続される電力供給源からの電力が前記太陽光発電用パワーコンディショナに供給された場合、前記記憶部に格納された前記データを、前記太陽光発電用パワーコンディショナが有していて前記太陽光発電用パワーコンディショナの動作を制御する主制御部に出力する出力インタフェイスとを有する
ことを特徴とする太陽光発電システムの通信装置。
【請求項２】
前記電力供給源は、太陽光パネル、電力系統又は燃料電池である
ことを特徴とする請求項１に記載の太陽光発電システムの通信装置。
【請求項３】
請求項１又は２に記載の太陽光発電システムの通信装置と、
前記携帯端末とを備え、
前記携帯端末は、
前記データの入力を受け付ける設定用インタフェイスと、
電力と前記設定用インタフェイスが受け付けた前記データとを前記非接触通信により前記太陽光発電システムの通信装置に出力する出力部とを有する
ことを特徴とする太陽光発電システムの通信システム。
【請求項４】
前記携帯端末は、前記携帯端末が特定の個人によって操作されているか否かを判断する判断部を更に有し、
前記携帯端末が前記特定の個人によって操作されていることが前記判断部によって判断された場合、前記出力部は、前記電力と前記データとを前記太陽光発電システムの通信装置に出力する
ことを特徴とする請求項３に記載の太陽光発電システムの通信システム。
【請求項５】
前記判断部は、個体識別情報をもとに、前記携帯端末が前記特定の個人によって操作されているか否かを判断する
ことを特徴とする請求項４に記載の太陽光発電システムの通信システム。
【請求項６】
請求項３から５のいずれか１項に記載の太陽光発電システムの通信システムと、
前記太陽光発電用パワーコンディショナと
を備えることを特徴とする太陽光発電システム。
【発明の詳細な説明】
【技術分野】
【０００１】
本発明は、太陽光発電システムについての設定データを送受信する太陽光発電システムの通信装置、太陽光発電システムの通信システム、及び太陽光発電システムに関する。
【背景技術】
【０００２】
太陽光発電用パワーコンディショナを設置する者は、太陽光発電用パワーコンディショナを動作させるためのデータを太陽光発電用パワーコンディショナに設定する必要がある。当該データの例は、ユーザと電力会社との取り決めにより決定される整定値である。特許文献１は、整定値を決定する技術を開示している。近年、太陽光発電用パワーコンディショナを設置する者は、太陽光発電用パワーコンディショナが電力系統に出力する量を制御することを目的に電力会社から提供される発電制御スケジュールで太陽光発電用パワーコンディショナを動作させるための設定値を太陽光発電用パワーコンディショナに設定することが求められている。設定値も、太陽光発電用パワーコンディショナを動作させるためのデータの例である。
【先行技術文献】
【特許文献】
【０００３】
【特許文献１】特開２０１３−１２１３０５号公報
【発明の概要】
【発明が解決しようとする課題】
【０００４】
ところで、太陽光発電用パワーコンディショナを動作させるためのデータを太陽光発電用パワーコンディショナに設定する場合、電力が太陽光発電用パワーコンディショナに供給される必要がある。従来、太陽光発電用パワーコンディショナを動作させるためのデータを太陽光発電用パワーコンディショナに設定する場合、太陽光発電用パワーコンディショナに有線で接続されている電力供給源からの電力が太陽光発電用パワーコンディショナに供給される必要がある。電力供給源の例は、太陽光パネル又は電力系統である。
【０００５】
つまり、従来、太陽光発電用パワーコンディショナに有線で接続されている電力供給源からの電力が太陽光発電用パワーコンディショナに供給されなければ、太陽光発電用パワーコンディショナを動作させるためのデータを太陽光発電用パワーコンディショナに設定することはできない。太陽光発電用パワーコンディショナに有線で接続されている電力供給源からの電力が太陽光発電用パワーコンディショナに供給されなくても、太陽光発電用パワーコンディショナを動作させるためのデータを太陽光発電用パワーコンディショナに設定することを可能にする技術が提供されることが要求されている。
【０００６】
本発明は、上記に鑑みてなされたものであって、太陽光発電用パワーコンディショナに有線で接続される電力供給源からの電力が太陽光発電用パワーコンディショナに供給されなくても、太陽光発電用パワーコンディショナを動作させるためのデータを太陽光発電用パワーコンディショナに設定することを可能にする太陽光発電システムの通信装置を得ることを目的とする。
【課題を解決するための手段】
【０００７】
上述した課題を解決し、目的を達成するために、本発明は、太陽光発電用パワーコンディショナに設けられる、太陽光発電システムの通信装置であって、電力と太陽光発電用パワーコンディショナを動作させるためのデータとを携帯端末から非接触通信により受け取るアンテナ部と、前記アンテナ部が受け取った前記電力と前記データとを受け取る通信部とを有する。前記通信部は、情報を記憶する機能を有する記憶部と、前記アンテナ部が受け取った前記電力と前記データとを受け取ると共に、前記電力を利用して前記データを前記記憶部に格納する通信部内制御部と、前記太陽光発電用パワーコンディショナに有線で接続される電力供給源からの電力が前記太陽光発電用パワーコンディショナに供給された場合、前記記憶部に格納された前記データを、前記太陽光発電用パワーコンディショナが有していて前記太陽光発電用パワーコンディショナの動作を制御する主制御部に出力する出力インタフェイスとを有する。
【発明の効果】
【０００８】
本発明は、太陽光発電用パワーコンディショナに有線で接続される電力供給源からの電力が太陽光発電用パワーコンディショナに供給されなくても、太陽光発電用パワーコンディショナを動作させるためのデータを太陽光発電用パワーコンディショナに設定することができるという効果を奏する。
【図面の簡単な説明】
【０００９】
【図１】実施の形態１にかかる太陽光発電システムの構成を示す図
【図２】実施の形態１にかかる太陽光発電システムの通信システムが有する携帯端末において太陽光発電用パワーコンディショナを動作させるためのデータを入力するための画面を示す図
【図３】実施の形態２にかかる太陽光発電システムの通信システムが有する携帯端末の構成を示す図
【図４】実施の形態２にかかる太陽光発電システムの通信システムが有する携帯端末において個体識別情報を入力するための画面を示す図
【図５】実施の形態１にかかる太陽光発電システムの通信装置が有する入力インタフェイス、通信部内制御部及び出力インタフェイスを構成する少なくとも一部の構成要素が処理回路によって実現される場合の処理回路を示す図
【図６】実施の形態１にかかる太陽光発電システムの通信装置が有する入力インタフェイス、通信部内制御部及び出力インタフェイスの少なくとも一部の機能がプロセッサによって実現される場合のプロセッサを示す図
【発明を実施するための形態】
【００１０】
以下に、本発明の実施の形態にかかる太陽光発電システムの通信装置、太陽光発電システムの通信システム、及び太陽光発電システムを図面に基づいて詳細に説明する。なお、この実施の形態によりこの発明が限定されるものではない。
【００１１】
実施の形態１．
まず、実施の形態１にかかる太陽光発電システム１の構成を説明する。図１は、実施の形態１にかかる太陽光発電システム１の構成を示す図である。太陽光発電システム１は、太陽光発電システムの通信システム２と、直流電力を交流電力に変換する機能を有する太陽光発電用パワーコンディショナ３とを有する。以下では、「太陽光発電システムの通信システム２」を「通信システム２」と記載する場合がある。図１では、「太陽光発電システムの通信システム２」は「通信システム２」と記載されている。太陽光発電用パワーコンディショナ３は、通信システム２の一部を有する。通信システム２の詳細については、後述する。太陽光発電用パワーコンディショナ３は、太陽光発電用パワーコンディショナ３の動作を制御する主制御部３１を有する。
【００１２】
通信システム２は、携帯端末４と、太陽光発電システムの通信装置５とを有する。以下では、「太陽光発電システムの通信装置５」を「通信装置５」と記載する場合がある。図１では、「太陽光発電システムの通信装置５」は「通信装置５」と記載されている。通信装置５は、太陽光発電用パワーコンディショナ３に設けられている。携帯端末４は、太陽光発電用パワーコンディショナ３の外部に位置する。
【００１３】
携帯端末４は、太陽光発電用パワーコンディショナ３を動作させるためのデータの入力を受け付ける設定用インタフェイス４１と、電力と設定用インタフェイス４１が受け付けたデータとを非接触通信により通信装置５に出力する出力部４２とを有する。携帯端末４の例は、スマートフォンである。
【００１４】
太陽光発電用パワーコンディショナ３を動作させるためのデータの例は、ユーザと電力会社との取り決めにより決定される整定値である。当該データの別の例は、太陽光発電用パワーコンディショナ３が電力系統６２に出力する電力の量を制御することを目的に電力会社から提供される発電制御スケジュールで太陽光発電用パワーコンディショナ３を動作させるための設定値である。具体的には、設定値は、発電制御スケジュールにしたがった発電量を設定するための値である。非接触通信は、通信の距離が例えば数センチから１メートルである比較的近距離で行われる無線の通信である。非接触通信は、給電を可能にする。
【００１５】
通信装置５は、電力と太陽光発電用パワーコンディショナ３を動作させるためのデータとを携帯端末４から非接触通信により受け取るアンテナ部５１と、アンテナ部５１が受け取った電力とデータとを受け取る通信部５２とを有する。通信部５２は、情報を記憶する機能を有する記憶部５３と、アンテナ部５１が受け取った電力とデータとを受け取る入力インタフェイス５４とを有する。記憶部５３の例は、電力が供給されなくても情報を消失しない不揮発メモリである。不揮発メモリの例は、ＲＯＭ（Read  Only  Memory）、フラッシュメモリ、又はＦｅＲＡＭ（Ferroelectric  Random  Access  Memory）である。
【００１６】
通信部５２は、入力インタフェイス５４が受け取った電力とデータとを入力インタフェイス５４から受け取る通信部内制御部５５を更に有する。通信部内制御部５５は、受け取った電力を利用して受け取ったデータを記憶部５３に格納する。つまり、通信部内制御部５５は、アンテナ部５１が受け取った電力とデータとを受け取ると共に、受け取った電力を利用して受け取ったデータを記憶部５３に格納する。通信部内制御部５５は、入力インタフェイス５４を制御する機能も有する。
【００１７】
通信部５２は、太陽光発電用パワーコンディショナ３に有線で接続される電力供給源から出力された電力が太陽光発電用パワーコンディショナ３に供給された場合、記憶部５３に格納されたデータを、太陽光発電用パワーコンディショナ３が有する主制御部３１に出力する出力インタフェイス５６を更に有する。太陽光発電用パワーコンディショナ３に有線で接続される電力供給源の例は、太陽光パネル６１、電力系統６２又は燃料電池６３である。図１には、太陽光パネル６１、電力系統６２及び燃料電池６３も示されている。
【００１８】
次に、太陽光発電システム１の動作を説明する。太陽光発電用パワーコンディショナ３を動作させるためのデータを太陽光発電用パワーコンディショナ３に設定しようとする者は、携帯端末４に当該データを入力する。図２は、実施の形態１にかかる太陽光発電システムの通信システム２が有する携帯端末４において太陽光発電用パワーコンディショナ３を動作させるためのデータを入力するための画面４３を示す図である。以下では「データを太陽光発電用パワーコンディショナ３に設定しようとする者」を「施工者」と記載する。
【００１９】
設定用インタフェイス４１は、携帯端末４に画面４３を表示させる。画面４３は、複数の設定項目４４の欄と、複数の設定項目４４の各々の設定値４５の欄と、設定値４５を変更するための上下キー４６と、設定値４５の単位を示す欄４７とを含む。設定値４５は、太陽光発電用パワーコンディショナ３を動作させるためのデータの例である。上下キー４６は、複数の設定項目４４の各々について設けられている。画面４３は、施工者が太陽光発電用パワーコンディショナ３を動作させるためのデータを画面４３に入力し終わった際に押下する完了ボタン４８を更に有する。画面４３は、施工者が入力したデータを削除する際に押下するキャンセルボタン４９を更に有する。
【００２０】
図２には、「設置台数」と、「運転周波数」と、「ＯＶＲレベル」と、「ＯＶＲ検出時間」という４個の設定項目４４が示されている。当該４個の設定項目４４は、複数の設定項目４４の例である。「設置台数」は、太陽光発電用パワーコンディショナの設置台数を意味する。「運転周波数」は、太陽光発電用パワーコンディショナの運転時の周波数を意味する。「ＯＶＲ」は、“Overvoltage  Relay”の略である。つまり、「ＯＶＲ」は、過電圧継電器を意味する。「ＯＶＲレベル」は、過電圧継電器を動作させるか否かを判断するための閾値を意味する。「ＯＶＲ検出時間」は、上記の閾値を超える電圧が過電圧継電器に印加された時間を意味する。
【００２１】
施工者が太陽光発電用パワーコンディショナ３を動作させるためのデータを入力するための動作を携帯端末４に行うと、設定用インタフェイス４１は、携帯端末４に画面４３を表示させる。施工者は、複数の設定項目４４の各々について、上下キー４６を用いて設定値４５を入力する。施工者は、複数の設定項目４４の各々について設定値４５を入力することによって太陽光発電用パワーコンディショナ３を動作させるためのデータの入力を終了すると、完了ボタン４８を押下する。完了ボタン４８が押下されると、設定用インタフェイス４１は、太陽光発電用パワーコンディショナ３を動作させるためのデータの入力を受け付けて保存する。
【００２２】
施工者は、データを入力する動作をやり直す場合、キャンセルボタン４９を押下する。キャンセルボタン４９が押下されると、設定値４５は予め設定された初期値に変更される。
【００２３】
設定用インタフェイス４１が太陽光発電用パワーコンディショナ３を動作させるためのデータの入力を受け付けて保存すると、出力部４２は、電力と設定用インタフェイス４１が受け付けたデータとを非接触通信により通信装置５に出力する。出力部４２が電力を通信装置５に出力するので、通信装置５は出力部４２から出力された電力をもとに動作することができる。
【００２４】
通信装置５では、アンテナ部５１が、電力と太陽光発電用パワーコンディショナ３を動作させるためのデータとを携帯端末４から非接触通信により受け取る。通信部５２は、アンテナ部５１が受け取った電力とデータとを受け取る。具体的には、通信部５２の入力インタフェイス５４が、アンテナ部５１が受け取った電力とデータとを受け取る。通信部内制御部５５は、入力インタフェイス５４が受け取った電力とデータとを受け取ると共に、受け取った電力を利用して受け取ったデータを記憶部５３に格納する。記憶部５３は、太陽光発電用パワーコンディショナ３を動作させるためのデータを記憶する。
【００２５】
出力インタフェイス５６は、電力供給源から出力された電力が太陽光発電用パワーコンディショナ３に供給された場合、記憶部５３が記憶するデータを、太陽光発電用パワーコンディショナ３が有する主制御部３１に出力する。上述の通り、電力供給源の例は、太陽光パネル６１、電力系統６２又は燃料電池６３である。
【００２６】
太陽光発電用パワーコンディショナ３において、主制御部３１は、通信装置５の出力インタフェイス５６が出力した太陽光発電用パワーコンディショナ３を動作させるためのデータを受け取り、受け取ったデータをもとに太陽光発電用パワーコンディショナ３を動作させる。つまり、主制御部３１は、電力供給源から出力された電力が太陽光発電用パワーコンディショナ３に供給された場合、記憶部５３が記憶する太陽光発電用パワーコンディショナ３を動作させるためのデータを出力インタフェイス５６から取り込み、当該データをもとに太陽光発電用パワーコンディショナ３を動作させる。
【００２７】
上述の通り、太陽光発電システムの通信装置５は、太陽光発電用パワーコンディショナ３に設けられる装置であって、電力と太陽光発電用パワーコンディショナ３を動作させるためのデータとを携帯端末４から非接触通信により受け取り、受け取った電力を利用して当該データを記憶部５３において記憶する。すなわち、通信装置５は、太陽光発電用パワーコンディショナ３に有線で接続される電力供給源からの電力が太陽光発電用パワーコンディショナ３に供給されなくても、太陽光発電用パワーコンディショナ３を動作させるためのデータを太陽光発電用パワーコンディショナ３に設定することができる。
【００２８】
従来、施工者は、設定値を表示する表示部に表示される値を見ながら、入力用のスイッチを用いて設定値の入力を行う。表示部及びスイッチは、従来の太陽光発電用パワーコンディショナに固定されている。近年、設定項目の個数が増加しているので、施工者のなかには、従来の入力方法を不便に感じる者もいる。実施の形態１では、上述の通り、施工者は携帯端末４に表示されるひとつの画面４３で太陽光発電用パワーコンディショナ３を動作させるためのデータを入力することができる。
【００２９】
すなわち、携帯端末４と通信装置５とを有する太陽光発電システムの通信システム２は、携帯することができる携帯端末４により、太陽光発電用パワーコンディショナ３を動作させるためのデータの入力を施工者に比較的容易に行わせることができる。そのため、通信システム２は、太陽光発電用パワーコンディショナ３を動作させるためのデータの入力を不便に感じる者の数を従来より少なくすることに寄与することができる。ひいては、施工者は、太陽光発電用パワーコンディショナ３を比較的容易に設置することができる。
【００３０】
実施の形態２．
図３は、実施の形態２にかかる太陽光発電システムの通信システムが有する携帯端末４Ａの構成を示す図である。実施の形態２では、実施の形態１の携帯端末４は携帯端末４Ａに置き換えられている。実施の形態２と実施の形態１との相違点は、携帯端末４が携帯端末４Ａに置き換えられた点である。実施の形態２では、実施の形態１との相違点を主に説明する。
【００３１】
携帯端末４Ａは、携帯端末４が有する設定用インタフェイス４１及び出力部４２を有すると共に、携帯端末４Ａが特定の個人によって操作されているか否かを判断する判断部５０を有する。特定の個人は、あらかじめ決められた人である。例えば、特定の個人は、あらかじめ決められた施工者である。判断部５０は、個体識別情報をもとに、携帯端末４Ａが特定の個人によって操作されているか否かを判断する。個体識別情報の例は、ユーザＩＤ（Identification）と、パスワードとの組である。
【００３２】
携帯端末４Ａの出力部４２は、携帯端末４Ａが特定の個人によって操作されていることが判断部５０によって判断された場合、電力と太陽光発電用パワーコンディショナ３を動作させるためのデータとを太陽光発電システムの通信装置５に出力する。
【００３３】
図４は、実施の形態２にかかる太陽光発電システムの通信システムが有する携帯端末４Ａにおいて個体識別情報を入力するための画面７０を示す図である。画面７０は、「この設定用ソフトウェアは太陽光発電システムの設置及び施工を許可された者しか操作することはできません。」という注意を示す文言を表示する。画面７０は、当該文言により、個体識別情報を入力することを施工者に促す。
【００３４】
画面７０は、ユーザＩＤを入力するための欄７１と、パスワードを入力するための欄７２と、個体識別情報が入力されたことを判断部５０に伝えるための完了ボタン７３とを含む。画面７０は、入力されたユーザＩＤ及びパスワードを取り消すためのキャンセルボタン７４を更に含む。
【００３５】
施工者は、携帯端末４Ａに画面７０を表示させ、ユーザＩＤを入力するための欄７１に施工者のユーザＩＤを入力し、パスワードを入力するための欄７２に施工者のパスワードを入力し、完了ボタン７３を押下する。判断部５０は、入力された個体識別情報をもとに、携帯端末４Ａが特定の個人によって操作されているか否かを判断する。携帯端末４Ａが特定の個人によって操作されていることが判断部５０によって判断された場合、図２に示される太陽光発電用パワーコンディショナ３を動作させるためのデータを入力するための画面４３が携帯端末４Ａに表示される。その後、出力部４２は、電力と太陽光発電用パワーコンディショナ３を動作させるためのデータとを太陽光発電システムの通信装置５に出力する。
【００３６】
上述の通り、出力部４２は、携帯端末４Ａが特定の個人によって操作されていることが判断部５０によって判断された場合、電力と太陽光発電用パワーコンディショナ３を動作させるためのデータとを太陽光発電システムの通信装置５に出力する。したがって、実施の形態２にかかる太陽光発電システムの通信システムは、あらかじめ決められた施工者にのみ太陽光発電用パワーコンディショナ３を動作させるためのデータを設定することを許可することができる。言い換えると、実施の形態２にかかる太陽光発電システムの通信システムは、あらかじめ決められた施工者以外の者が太陽光発電用パワーコンディショナ３を動作させるためのデータを自由に設定することを抑制することができる。
【００３７】
なお、上述した実施の形態では、個体識別情報は、ユーザＩＤとパスワードとの組である。個体識別情報は、生体情報であってもよい。生体情報の例は、指紋又は顔である。判断部５０は、携帯端末４Ａの起動時に、携帯端末４Ａが特定の個人によって操作されているか否かを判断してもよい。また、画面７０がソフトウェアによって構成される場合、判断部５０は、当該ソフトウェアが携帯端末４Ａにインストールされたときに、携帯端末４Ａが特定の個人によって操作されているか否かを判断してもよい。携帯端末４Ａは、インターネットを介して判断部５０が判断するための情報を有するサーバと通信を行い、判断部５０は、通信によって得られた当該情報をもとに携帯端末４Ａが特定の個人によって操作されているか否かを判断してもよい。
【００３８】
図５は、実施の形態１にかかる太陽光発電システムの通信装置５が有する入力インタフェイス５４、通信部内制御部５５及び出力インタフェイス５６を構成する少なくとも一部の構成要素が処理回路８１によって実現される場合の処理回路８１を示す図である。つまり、入力インタフェイス５４、通信部内制御部５５及び出力インタフェイス５６の機能の少なくとも一部は、処理回路８１によって実現されてもよい。
【００３９】
処理回路８１は、専用のハードウェアである。処理回路８１は、例えば、単一回路、複合回路、プログラム化されたプロセッサ、並列プログラム化されたプロセッサ、ＡＳＩＣ（Application  Specific  Integrated  Circuit）、ＦＰＧＡ（Field-Programmable  Gate  Array）、又はこれらを組み合わせたものである。入力インタフェイス５４、通信部内制御部５５及び出力インタフェイス５６の一部は、残部とは別個の専用のハードウェアであってもよい。
【００４０】
図６は、実施の形態１にかかる太陽光発電システムの通信装置５が有する入力インタフェイス５４、通信部内制御部５５及び出力インタフェイス５６の少なくとも一部の機能がプロセッサ８２によって実現される場合のプロセッサ８２を示す図である。つまり、入力インタフェイス５４、通信部内制御部５５及び出力インタフェイス５６の少なくとも一部の機能は、メモリ８３に格納されるプログラムを実行するプロセッサ８２によって実現されてもよい。
【００４１】
プロセッサ８２は、ＣＰＵ（Central  Processing  Unit）、処理装置、演算装置、マイクロプロセッサ、マイクロコンピュータ、又はＤＳＰ（Digital  Signal  Processor）である。図６には、メモリ８３も示されている。
【００４２】
入力インタフェイス５４、通信部内制御部５５及び出力インタフェイス５６の少なくとも一部の機能がプロセッサ８２によって実現される場合、当該一部の機能は、プロセッサ８２と、ソフトウェア、ファームウェア、又は、ソフトウェア及びファームウェアとの組み合わせによって実現される。
【００４３】
ソフトウェア又はファームウェアはプログラムとして記述され、メモリ８３に格納される。プロセッサ８２は、メモリ８３に記憶されたプログラムを読み出して実行することにより、入力インタフェイス５４、通信部内制御部５５及び出力インタフェイス５６の少なくとも一部の機能を実現する。
【００４４】
入力インタフェイス５４、通信部内制御部５５及び出力インタフェイス５６の少なくとも一部の機能がプロセッサ８２によって実現される場合、通信装置５は、入力インタフェイス５４、通信部内制御部５５及び出力インタフェイス５６の少なくとも一部によって実行されるステップが結果的に実行されることになるプログラムを格納するためのメモリ８３を有する。
【００４５】
メモリ８３に格納されるプログラムは、入力インタフェイス５４、通信部内制御部５５及び出力インタフェイス５６の少なくとも一部が実行する手順又は方法をコンピュータに実行させるものであるともいえる。
【００４６】
メモリ８３は、例えば、ＲＡＭ（Random  Access  Memory）、ＲＯＭ、フラッシュメモリ、ＥＰＲＯＭ（Erasable  Programmable  Read  Only  Memory）、ＥＥＰＲＯＭ（登録商標）（Electrically  Erasable  Programmable  Read  Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００４７】
入力インタフェイス５４、通信部内制御部５５及び出力インタフェイス５６の複数の機能について、当該複数の機能の一部を専用のハードウェアで実現し、当該複数の機能の残部をソフトウェア又はファームウェアで実現してもよい。このように、入力インタフェイス５４、通信部内制御部５５及び出力インタフェイス５６の複数の機能は、ハードウェア、ソフトウェア、ファームウェア、又はこれらの組み合わせによって実現することができる。
【００４８】
実施の形態１にかかる携帯端末４が有する設定用インタフェイス４１及び出力部４２を構成する少なくとも一部の構成要素は、処理回路８１と同等の処理回路によって実現されてもよい。設定用インタフェイス４１及び出力部４２の少なくとも一部の機能は、プロセッサ８２と同等のプロセッサによって実現されてもよい。設定用インタフェイス４１及び出力部４２の少なくとも一部の機能がプロセッサによって実現される場合、携帯端末４は、設定用インタフェイス４１及び出力部４２の少なくとも一部によって実行されるステップが結果的に実行されることになるプログラムを格納するためのメモリを有する。当該メモリは、メモリ８３と同等のものである。
【００４９】
実施の形態２にかかる携帯端末４Ａが有する設定用インタフェイス４１、出力部４２及び判断部５０を構成する少なくとも一部の構成要素は、処理回路８１と同等の処理回路によって実現されてもよい。設定用インタフェイス４１、出力部４２及び判断部５０の少なくとも一部の機能は、プロセッサ８２と同等のプロセッサによって実現されてもよい。設定用インタフェイス４１、出力部４２及び判断部５０の少なくとも一部の機能がプロセッサによって実現される場合、携帯端末４Ａは、設定用インタフェイス４１、出力部４２及び判断部５０の少なくとも一部によって実行されるステップが結果的に実行されることになるプログラムを格納するためのメモリを有する。当該メモリは、メモリ８３と同等のものである。
【００５０】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００５１】
１  太陽光発電システム、２  太陽光発電システムの通信システム、３  太陽光発電用パワーコンディショナ、４，４Ａ  携帯端末、５  太陽光発電システムの通信装置、３１  主制御部、４１  設定用インタフェイス、４２  出力部、４３，７０  画面、４４  設定項目、４５  設定値、４６  上下キー、４７  設定値の単位を示す欄、４８，７３  完了ボタン、４９，７４  キャンセルボタン、５０  判断部、５１  アンテナ部、５２  通信部、５３  記憶部、５４  入力インタフェイス、５５  通信部内制御部、５６  出力インタフェイス、６１  太陽光パネル、６２  電力系統、６３  燃料電池、７１  ユーザＩＤを入力するための欄、７２  パスワードを入力するための欄、８１  処理回路、８２  プロセッサ、８３  メモリ。
【図１】
2019154172.tif 000003
【図２】
2019154172.tif 000004
【図３】
2019154172.tif 000005
【図４】
2019154172.tif 000006
【図５】
2019154172.tif 000007
【図６】
2019154172.tif 000008